(57)【要約】【課題】音響部品周辺の安定性を維持しつつ、音響特性の劣化を防止すること。【解決手段】マイク３２０を囲む内部フレーム３３０の一端部は、両面テープ３５０ａ、３５０ｂによって基板３１０に接着されている。マイク３２０の周囲では、内部フレーム３３０の面３３１及び面３３２がマイク３２０の側面及び上面に近接し、格納部３６０を形成している。一方、内部フレーム３３０の他端部は、クッション３４０ａ、３４０ｂを介して固定側筐体１００の内壁面に当接し、面３３４及び面３３５によって開口部１３０の周囲に広がる音響部３７０を形成している。音響部３７０の底面３３５には貫通孔３３３が設けられ、貫通孔３３３は、音響部３７０へ進入した音声をマイク３２０の感音部３２１へ案内する。【選択図】図４
2011055300.tif 000002
【特許請求の範囲】
【請求項１】
開口部が形成された筐体と、
前記筐体内部に配置され、音響部品が取り付けられる基板と、
前記筐体内壁面の前記開口部の周囲に配置されるクッション部材と、
前記音響部品の表面に近接する近接面を有し、前記近接面近傍の一端部が前記基板に接着されるとともに、他端部が前記クッション部材を介して前記筐体内壁面に当接し、前記開口部と前記音響部品との間の音声経路を形成するフレーム部材と
を有することを特徴とする携帯端末装置。
【請求項２】
前記フレーム部材は、
両面テープによって前記基板に接着されることを特徴とする請求項１記載の携帯端末装置。
【請求項３】
前記フレーム部材は、
前記クッション部材を介して前記筐体内壁面に当接することにより、前記開口部の周囲に気室を形成する音響部と、
前記音響部の底面に形成された貫通孔を通じて前記音響部と接続し、前記近接面近傍が前記基板に接着されることにより、前記音響部品を格納する格納部と
を有することを特徴とする請求項１記載の携帯端末装置。
【請求項４】
前記格納部は、
前記音響部品に備えられる感音部付近に開口する前記貫通孔を除いて前記音響部品の周囲を密閉することを特徴とする請求項３記載の携帯端末装置。
【請求項５】
前記クッション部材は、
押圧により変形する発泡性の樹脂からなることを特徴とする請求項１記載の携帯端末装置。
【発明の詳細な説明】
【技術分野】
【０００１】
本発明は、携帯端末装置に関する。
【背景技術】
【０００２】
一般に、音声機能を有する携帯電話機などの携帯端末装置は、例えばマイク及びスピーカなどの音響部品を備えている。通常、これらの音響部品は、携帯端末装置の筐体内部に備えられており、筐体に穿設された開口部を通じて筐体外部の音声を収音したり、筐体外部へ音声を発音したりする。すなわち、例えばマイクは、携帯端末装置の筐体に穿設された開口部から筐体の内部へ進入する音声を電気信号に変換する。このため、開口部と音響部品の間の空間を密閉して、筐体内部での音声の拡散を防止することにより、良好な音響特性が得られる。そこで、携帯端末装置の音響部品の周辺に関しては、空間の密閉性を高める様々な構成が検討され、実際に採用されている。
【０００３】
具体的には、例えば、携帯端末装置のマイク周辺において隣接する部品の間に、発泡性の樹脂又はゴムなどの弾性体からなるクッションが介挿され、筐体に設けられた開口部とマイクの間の空間の密閉性が高められることがある。図７は、クッションによってマイク周辺の空間の密閉性を高める構成の一例を示す図である。
【０００４】
図７に示すように、マイク２０は、基板１０に取り付けられており、筐体６０に穿設された開口部６０ａから進入する音声を収音する。ここで、マイク２０と開口部６０ａの間の空間を密閉するために、内部フレーム３０が設けられており、マイク２０と内部フレーム３０の間にクッション４０ａ、４０ｂが介挿され、内部フレーム３０と筐体６０の間にクッション７０ａ、７０ｂが介挿されている。クッション４０ａ、４０ｂ及びクッション７０ａ、７０ｂは、例えば発泡性の樹脂からなり、それぞれマイク２０と内部フレーム３０の間の圧力及び内部フレーム３０と筐体６０の間の圧力に応じて一定程度変形し、マイク２０と開口部６０ａの間の空間の密閉性を高めている。
【０００５】
このように、マイク２０と筐体６０の間に直接クッションを介挿するのではなく、内部フレーム３０を設けてクッションを二段に分けることにより、個々のクッションの厚みを小さくすることができ、部品間の安定性を確保することができる。また、図７に示した例では、マイク２０の形状が非対称であるため、マイク２０にスペーサ５０を隣接させ、マイク２０及びスペーサ５０と内部フレーム３０の間にクッション４０ａを介挿している。これにより、クッション４０ａがマイク２０から外れることを防止し、安定性を高めることができる。
【先行技術文献】
【特許文献】
【０００６】
【特許文献１】特開２００７−９６８４３号公報
【発明の概要】
【発明が解決しようとする課題】
【０００７】
しかしながら、クッションは、接する部品からの圧力により変形して寸法のばらつきを吸収するため、クッションの介挿箇所が多くなると、音響部品周辺の位置ずれが増加する。結果として、音響部品周辺の密閉性が低下し、音響特性が劣化するという問題がある。また、介挿されるクッションが増加すれば、部品点数が増加するとともに、携帯端末装置を組み立てる際の作業工数が増加するという問題もある。
【０００８】
これらの問題を解消するために、基板と筐体の間の距離を小さくしてマイクと筐体の開口部とを接近させ、マイクと筐体の間に直接クッションを介挿することが考えられる。しかし、例えば近年の携帯電話機は、音声機能以外にも多くの機能を備えており、それぞれの機能に対応する部品を有していることから、音響特性のみを考慮して基板の位置を調整することは困難である。すなわち、携帯端末装置には、例えばカメラやディスプレイなどの部品が設けられることがあるため、これらの部品のサイズや部品間の干渉を考慮して基板の位置が調整される。この結果、マイクと筐体の開口部との距離が大きくなり、マイクと筐体の間に介挿されるクッションの厚みが大きくなって、安定性が得られなくなることがある。
【０００９】
開示の技術は、かかる点に鑑みてなされたものであって、音響部品周辺の安定性を維持しつつ、音響特性の劣化を防止することができる携帯端末装置を提供することを目的とする。
【課題を解決するための手段】
【００１０】
本願が開示する携帯端末装置は、１つの態様において、開口部が形成された筐体と、前記筐体内部に配置され、音響部品が取り付けられる基板と、前記筐体内壁面の前記開口部の周囲に配置されるクッション部材と、前記音響部品の表面に近接する近接面を有し、前記近接面近傍の一端部が前記基板に接着されるとともに、他端部が前記クッション部材を介して前記筐体内壁面に当接し、前記開口部と前記音響部品との間の音声経路を形成するフレーム部材とを有する。
【発明の効果】
【００１１】
本願が開示する携帯端末装置の１つの態様によれば、音響部品周辺の安定性を維持しつつ、音響特性の劣化を防止することができるという効果を奏する。
【図面の簡単な説明】
【００１２】
【図１】図１は、一実施の形態に係る携帯端末装置の前面側外観を示す斜視図である。
【図２】図２は、一実施の形態に係る携帯端末装置の後面側外観を示す斜視図である。
【図３】図３は、図２のＩ−Ｉ線における断面を模式的に示す図である。
【図４】図４は、図２のII−II線における断面を拡大して示す図である。
【図５】図５は、一実施の形態に係るマイク周辺の構成を前面側から示す組立図である。
【図６】図６は、一実施の形態に係るマイク周辺の構成を後面側から示す組立図である。
【図７】図７は、マイク周辺の構成例を示す断面図である。
【発明を実施するための形態】
【００１３】
以下、本願が開示する携帯端末装置の一実施の形態について、図面を参照して詳細に説明する。以下の一実施の形態においては、携帯端末装置として、携帯電話機を例に挙げて説明する。なお、この一実施の形態により本発明が限定されるものではない。
【００１４】
図１は、一実施の形態に係る携帯端末装置の外観を示す斜視図である。図１に示すように、本実施の形態に係る携帯端末装置は、固定側筐体１００及び可動側筐体２００を有する折り畳み型携帯電話機である。固定側筐体１００は、操作キー部１１０と開口部１２０を有する。また、可動側筐体２００は、固定側筐体１００に対して回動可能に取り付けられており、表示部２１０及び開口部２２０を有する。図１に示した操作キー部１１０及び表示部２１０が備えられた面は、ユーザが通話する際にユーザに接する面であり、以下においては「前面」という。一方、操作キー部１１０及び表示部２１０が備えられた面の裏面を以下においては「後面」という。
【００１５】
操作キー部１１０は、ユーザの入力操作を受け付ける。具体的には、操作キー部１１０は、例えば通話先の電話番号の入力操作を受け付けたり、通話の開始又は終了の入力操作を受け付けたりする。
【００１６】
開口部１２０は、固定側筐体１００の内部の前面側に備えられたマイクへ通じる貫通孔である。すなわち、ユーザが発する発話音声は、開口部１２０から固定側筐体１００の内部へ進入し、前面側に備えられたマイクによって収音される。なお、本実施の形態に係る携帯端末装置は、ダブルマイク構造を採っており、前面側及び後面側に１つずつマイクが備えられている。このようなダブルマイク構造により、例えば通話時には、周囲の雑音を低減することができる。
【００１７】
表示部２１０は、例えば液晶パネルを備えており、種々の情報を表示する。具体的には、表示部２１０は、例えば操作キー部１１０の操作により入力された電話番号などを表示する。
【００１８】
開口部２２０は、可動側筐体２００の内部に備えられたレシーバへ通じる貫通孔である。すなわち、可動側筐体２００の内部には、受話音声を発音するレシーバが備えられており、レシーバから発音された音声が開口部２２０から聞こえる。
【００１９】
図２は、本実施の形態に係る携帯端末装置の後面側外観を示す斜視図である。図２に示すように、固定側筐体１００の後面には、開口部１３０、指紋センサ部１４０及びカメラ部１５０が配置される。また、可動側筐体２００の後面には、照光部２３０が配置される。
【００２０】
開口部１３０は、固定側筐体１００の内部の後面側に備えられたマイクへ通じる貫通孔である。すなわち、ユーザが発する発話音声は、上述した開口部１２０のみならず、開口部１３０からも固定側筐体１００の内部へ進入し、後面側に備えられたマイクによって収音される。なお、固定側筐体１００の開口部１３０付近における内部構成については、後に詳述する。
【００２１】
指紋センサ部１４０は、ユーザ認証のための指紋センサを備えている。すなわち、指紋センサ部１４０は、ユーザの指紋を読み取ってユーザ識別を行い、携帯端末装置の使用の可否を決定する。指紋センサ部１４０が備える指紋センサは、固定側筐体１００の後面側に備えられたマイクと同様に、基板の後面側に取り付けられるため、指紋センサの厚みに応じて固定側筐体１００と基板の距離が調整される。結果として、後面側のマイクと開口部１３０の間の距離は、前面側のマイクと開口部１２０の間の距離に比べて大きくなる。
【００２２】
カメラ部１５０は、撮像用のカメラを備えている。カメラ部１５０が備えるカメラは、比較的サイズが大きい部品であり、カメラの厚みによって固定側筐体１００の厚みが規定される。すなわち、固定側筐体１００の厚みをカメラ部１５０が備えるカメラの厚みよりも薄くすることはできない。
【００２３】
照光部２３０は、例えばＬＥＤ（Light Emitting Diode）などの発光に伴って照光する。すなわち、照光部２３０は、例えば着信時に、着信をユーザへ知らせるための所定のパターン又は色などで照光する。
【００２４】
図３は、図２のＩ−Ｉ線における断面を模式的に示す図である。すなわち、図３は、開口部１３０を通過するＩ−Ｉ線による固定側筐体１００の断面を示している。この断面には、基板３１０、マイク３２０、内部フレーム３３０、及びクッション３４０ａ、３４０ｂが示されている。
【００２５】
基板３１０は、指紋センサ部１４０が備える指紋センサ１４１の厚みに応じた位置に配置されており、固定側筐体１００の後面よりも前面に近い側に配置されている。すなわち、基板３１０と固定側筐体１００の後面との距離は、基板３１０と固定側筐体１００の前面との距離よりも大きい。
【００２６】
マイク３２０は、基板３１０の後面側の面に配置され、開口部１３０から固定側筐体１００の内部へ進入する音声を収音する。このとき、マイク３２０は、内部フレーム３３０及びクッション３４０ａ、３４０ｂによって密閉された空間を伝達される音声を収音する。したがって、マイク３２０の音響特性は、良好に保たれる。
【００２７】
内部フレーム３３０は、例えば両面テープによって基板３１０に接着され、基板３１０との間でマイク３２０の周囲を密閉して格納する格納部を形成するとともに、開口部１３０近傍には固定側筐体１００の内部に進入した音声を適度に響かせる音響部を形成する。さらに、内部フレーム３３０には、音響部に進入した音声を格納部へ案内する貫通孔が形成され、固定側筐体１００の内部に進入した音声がマイク３２０の感音部へ到達するようになっている。すなわち、内部フレーム３３０は、開口部１３０とマイク３２０の間の音声経路を形成している。なお、内部フレーム３３０の構造については、後に詳述する。
【００２８】
クッション３４０ａ、３４０ｂは、内部フレーム３３０と固定側筐体１００の内壁面との間に介挿され、内部フレーム３３０によって形成される音響部を密閉することにより、開口部１３０から固定側筐体１００の内部へ進入した音声の拡散を防止する。すなわち、クッション３４０ａ、３４０ｂは、例えば発泡性の樹脂などの弾性体からなり、内部フレーム３３０の音響部を囲む外周と固定側筐体１００の内壁面との間の圧力によって変形し、内部フレーム３３０と固定側筐体１００の間を密閉する。なお、図３において、２つのクッション３４０ａ、３４０ｂが図示されているが、これらは１つのクッションの２箇所における断面形状である。すなわち、このクッションは、開口部１３０を囲むように配置されている。
【００２９】
このように、本実施の形態においては、基板３１０に接着された内部フレーム３３０の格納部によってマイク３２０の周囲が直接密閉され、内部フレーム３３０と固定側筐体１００の内壁面との間にはクッション３４０ａ、３４０ｂが介挿される。したがって、部品間の安定性を損なうクッションが一段で済むとともに、安定性の確保のためのスペーサなどの付加的な部品が不要となり、安定性を維持しつつ部品点数及び作業工数を削減することができる。同時に、マイク３２０周辺の密閉性も確保することができ、音響特性の劣化を防止することができる。
【００３０】
次いで、本実施の形態に係るマイク３２０周辺の構成について、図４を参照しながらさらに具体的に説明する。図４は、図２のII−II線における断面を拡大して示す図である。図４に示すように、感音部３２１を有するマイク３２０が基板３１０に配置されており、マイク３２０を囲む内部フレーム３３０の一端部は、両面テープ３５０ａ、３５０ｂによって基板３１０に接着されている。このように、基板３１０と内部フレーム３３０が両面テープ３５０ａ、３５０ｂによって接着されているため、基板３１０と内部フレーム３３０の間が密閉され、マイク３２０の周囲に音声が拡散することがない。同時に、基板３１０と内部フレーム３３０の相互の位置ずれが発生することがなく、部品間の安定性を確保することができる。
【００３１】
また、内部フレーム３３０の他端部は、クッション３４０ａ、３４０ｂを介して固定側筐体１００の内壁面に当接しているため、内部フレーム３３０と固定側筐体１００の内壁面との間が密閉され、開口部１３０から固定側筐体１００の内部へ進入する音声が拡散することがない。したがって、開口部１３０から固定側筐体１００の内部へ進入する音声は、固定側筐体１００の内壁面、クッション３４０ａ、３４０ｂ、内部フレーム３３０、両面テープ３５０ａ、３５０ｂ及び基板３１０によって形成される空間外へ漏れることがなく、マイク３２０の音響特性を向上することができる。
【００３２】
さらに、内部フレーム３３０の形状を詳細に説明すると、マイク３２０の周囲では、内部フレーム３３０の面３３１及び面３３２がマイク３２０の側面及び上面に近接し、格納部３６０を形成している。すなわち、格納部３６０は、マイク３２０の周囲を覆う形状をしており、マイク３２０の周囲に音声が拡散することを防止している。
【００３３】
一方、固定側筐体１００の開口部１３０近傍においては、面３３４及び面３３５によって開口部１３０の周囲に広がる気室が形成されており、この気室が音響部３７０となっている。すなわち、開口部１３０から固定側筐体１００の内部へ進入した音声が音響部３７０で適度に響き、音響特性が向上する。そして、音響部３７０の底面３３５には貫通孔３３３が設けられ、貫通孔３３３は、格納部３６０へ通じている。
【００３４】
格納部３６０においては、貫通孔３３３がマイク３２０の感音部３２１付近で開口しており、音響部３７０へ進入した音声が感音部３２１へ案内される。加えて、上述したように格納部３６０を形成する面３３１及び面３３２がマイク３２０に近接しているため、貫通孔３３３によって案内された音声の感音部３２１周囲への拡散を最小限に抑制することができる。結果として、マイク３２０は、開口部１３０から固定側筐体１００の内部へ進入した音声を確実に収音することができる。なお、本実施の形態においては、音響部品としてマイク３２０を例に挙げて説明しているため、貫通孔３３３が感音部３２１付近で開口しているものとしたが、例えば音響部品としてスピーカが設けられる場合は、貫通孔３３３がスピーカの発音部付近で開口することとなる。
【００３５】
次に、本実施の形態に係る携帯端末装置の内部構成について、図５及び図６を参照して説明する。図５は、マイク周辺の構成を前面側から示す組立図であり、図６は、マイク周辺の構成を後面側から示す組立図である。
【００３６】
図５及び図６に示すように、前面側の基板３１０と指紋センサ部１４０及びカメラ部１５０を備えた筐体ケースとによって、内部フレーム３３０が挟まれる。指紋センサ１４１は、内部フレーム３３０と一体となっており、カメラ１５１は、基板３１０と一体となっている。そして、指紋センサ１４１は、筐体ケースの指紋センサ部１４０に対向し、カメラ１５１は、筐体ケースのカメラ部１５０に対向している。
【００３７】
内部フレーム３３０の基板３１０側には、両面テープ３５０が貼付されており、両面テープ３５０によって内部フレーム３３０が基板３１０に接着される。これにより、基板３１０に取り付けられたマイク３２０と略同一の形状に形成された格納部３６０において、内部フレーム３３０と基板３１０の間が密閉され、マイク３２０の周囲への音声の拡散を防止することができる。
【００３８】
また、筐体ケースの内壁面には、楕円形状のクッション３４０が開口部１３０を囲む位置に配置されている。クッション３４０は、例えば両面テープによって筐体ケースの内壁面に接着されている。クッション３４０の楕円形状は、内部フレーム３３０の音響部３７０の形状に対応するものであり、クッション３４０によって音響部３７０の密閉性が確保される。すなわち、音響部３７０の面３３４（図４参照）を含む側壁は、楕円筒形状をしており、この楕円筒形状の底面の周縁を塞ぐようにクッション３４０が設けられている。そして、クッション３４０に音響部３７０の側壁が当接することにより、開口部１３０及び音響部３７０の底面３３５に設けられた貫通孔３３３を除いて音響部３７０には隙間がなくなり、開口部１３０から進入する音声の拡散を防止することができる。
【００３９】
以上のように、本実施の形態によれば、マイクが取り付けられる基板と両面テープによって基板に接着される内部フレームとによって、マイクと略同一の形状の空間を形成し、形成された空間にマイクを配置するとともに、内部フレームと固定側筐体の間にクッションを介挿する。このため、固定側筐体に穿設された開口部から固定側筐体内部へ進入する音声を周囲に拡散させることなくマイクへ案内することができる。また、密閉性確保のためのクッションの利用を最低限に抑制することができ、部品の位置ずれを防止することができる。結果として、マイク周辺の部品間の安定性を維持しつつ、音響特性の劣化を防止することができる。
【００４０】
なお、上記一実施の形態においては、折り畳み型携帯電話機について説明したが、携帯電話機は折り畳み型に限定されず、固定側筐体に対して可動側筐体がスライドするスライド型や、筐体が分割されていないストレート型の携帯電話機にも上述した構成を適用することができる。
【００４１】
また、上記一実施の形態においては、マイク周辺を密閉する構成について説明したが、例えばスピーカと筐体の開口部との間に同様の構成を適用することも可能である。また、同様の構成を携帯電話機以外の例えばＩＣレコーダなどに適用することもでき、音声機能を有する携帯端末装置に広く適用することが可能である。
【００４２】
以上の一実施の形態に関し、さらに以下の付記を開示する。
【００４３】
（付記１）開口部が形成された筐体と、
前記筐体内部に配置され、音響部品が取り付けられる基板と、
前記筐体内壁面の前記開口部の周囲に配置されるクッション部材と、
前記音響部品の表面に近接する近接面を有し、前記近接面近傍の一端部が前記基板に接着されるとともに、他端部が前記クッション部材を介して前記筐体内壁面に当接し、前記開口部と前記音響部品との間の音声経路を形成するフレーム部材と
を有することを特徴とする携帯端末装置。
【００４４】
（付記２）前記フレーム部材は、
両面テープによって前記基板に接着されることを特徴とする付記１記載の携帯端末装置。
【００４５】
（付記３）前記クッション部材は、
両面テープによって前記筐体内壁面に接着されることを特徴とする付記１記載の携帯端末装置。
【００４６】
（付記４）前記フレーム部材は、
前記クッション部材を介して前記筐体内壁面に当接することにより、前記開口部の周囲に気室を形成する音響部と、
前記音響部の底面に形成された貫通孔を通じて前記音響部と接続し、前記近接面近傍が前記基板に接着されることにより、前記音響部品を格納する格納部と
を有することを特徴とする付記１記載の携帯端末装置。
【００４７】
（付記５）前記格納部は、
前記音響部品に備えられる感音部付近に開口する前記貫通孔を除いて前記音響部品の周囲を密閉することを特徴とする付記４記載の携帯端末装置。
【００４８】
（付記６）前記格納部は、
前記音響部品に備えられる発音部付近に開口する前記貫通孔を除いて前記音響部品の周囲を密閉することを特徴とする付記４記載の携帯端末装置。
【００４９】
（付記７）前記クッション部材は、
押圧により変形する発泡性の樹脂からなることを特徴とする付記１記載の携帯端末装置。
【符号の説明】
【００５０】
１００  固定側筐体
１１０  操作キー部
１２０、１３０  開口部
１４０  指紋センサ部
１５０  カメラ部
２００  可動側筐体
２１０  表示部
２２０  開口部
２３０  照光部
３１０  基板
３２０  マイク
３２１  感音部
３３０  内部フレーム
３４０  クッション
３５０  両面テープ
３６０  格納部
３７０  音響部
【図１】
2011055300.tif 000003
【図２】
2011055300.tif 000004
【図３】
2011055300.tif 000005
【図４】
2011055300.tif 000006
【図５】
2011055300.tif 000007
【図６】
2011055300.tif 000008
【図７】
2011055300.tif 000009